(57)【要約】  本発明は、人間または動物の身体の骨の中へ配置するための骨内インプラントに関し、本発明は、骨組織に望ましい深さでの、正確なインプラント位置を可能にし、高度の初期のインプラントの安定性を失うことなく提供され、先端側および頸部側を有し、上記骨組織中の配置を目的とする、少なくとも一つの骨内部分を具備し、上記部分は、その円周面に先端部の方向に続いているネジ山と、長手方向に伸びて、上記骨組織の長手方向へのインプラントの配置を可能にするが、上記骨の反対の長手方向へのインプラントの取り外しを防ぐ保持要素として役目を果たす、複数の中断されたネジ山部分にネジ山を遮断する一以上の溝と、人工器官の要素を支持することを目的とする、上記少なくとも一つの骨内部分の前記頸部側に存在する支持部分と、を備えている。
2009513168.tif 000002
【特許請求の範囲】
【請求項１】
先端側と頸部側を有し、身体適合性材料からなる、骨組織への配置を目的とする当該少なくとも一つの骨内部分であって、その円周面上に先端部の方向に続いているネジ山を備えている、少なくとも一つの骨内部分と、
人工器官要素の支持を目的とする、前記少なくとも一つの骨内部分の前記頸部側に存在する支持部分と、を具備する人間または動物の骨に配置するための骨内インプラントであって、
前記骨内部分は、長手方向に伸びていて、前記ネジ山を、複数の中断されたネジ山部分に遮断する一以上の溝を備えており、前記複数の中断されたネジ山部分は、前記骨組織中に向かう、長手方向への前記インプラントの配置を可能にするが、前記骨の外に向かう、反対の長手方向への前記インプラントの取り外しを防ぐ、保持要素として機能することを特徴とする、骨内インプラント。
【請求項２】
前記溝は、前記インプラントの骨内部分の全長に及んでいることを特徴とする、請求項１に記載の骨内インプラント。
【請求項３】
前記溝の深さは、前記ネジ山の高さより低いか、同じか、または高いことを特徴とする、請求項１または２に記載の骨内インプラント。
【請求項４】
前記溝の幅は、前記骨内部分の前記先端側の方向に変化し、より詳細には、広くなることを特徴とする、請求項１〜３のいずれか一項に記載の骨内インプラント。
【請求項５】
前記溝の深さは、前記骨内部分の前記先端側の方向で変化し、より詳細には、より深くなることを特徴とする、請求項１〜４のいずれか一項に記載の骨内インプラント。
【請求項６】
前記ネジ山の高さは、前記骨内部分の前記先端側の方向で変化し、より詳細には、より小さくなることを特徴とする請求項１〜５のいずれか一項に記載の骨内インプラント。
【請求項７】
前記骨内部分は、複数の溝を具備することを特徴とする、請求項１〜６のいずれか一項に記載の骨内インプラント。
【請求項８】
前記溝は、前記円周面上に等距離で存在することを特徴とする、請求項１〜７のいずれか一項に記載の骨内インプラント。
【請求項９】
前記骨内部分は、円筒状断面を有することを特徴とする、請求項１〜８のいずれか一項に記載の骨内インプラント。
【請求項１０】
前記骨内部分は、例えば、円錐状の、楕円状の、長円状の断面といった、ほぼ円筒状の断面を有することを特徴とする、請求項１〜９のいずれか一項に記載の骨内インプラント。
【請求項１１】
前記骨内部分は、例えば、六角形のまたは、八角形の断面といった、多角形の断面を有することを特徴とする、請求項１〜１０のいずれか一項に記載の骨内インプラント。
【請求項１２】
前記骨内部分は、前記先端方向に、より小さくなることを特徴とする、請求項１〜１１のいずれか一項に記載の骨内インプラント。
【請求項１３】
前記支持部分は、インプラントの方向に対して、前記骨内部分に、所定の角度で位置づけられることを特徴とする、請求項１〜１２のいずれか一項に記載の骨内インプラント。
【請求項１４】
前記インプラントは歯科インプラントであって、前記支持部分は、その円周端部上に少なくとも一つの斜面（平らの凹面）を備えることを特徴とする、請求項１〜１３のいずれか一項に記載の骨内インプラント。
【発明の詳細な説明】
【技術分野】
【０００１】
本発明は、先端側と頸部側を有し、骨組織への配置を目的とする、身体適合性材料（body friendly material)からなる、少なくとも一つの骨内部分であって、その円周面に先端部方向に続くネジ山を提供される部分と、人口器官を支持することを目的とする、上記少なくとも一つの骨内部分の頸部側に存在する支持部分と、を具備する、人間または動物の身体の骨への配置のための骨内インプラントに関する。
【背景技術】
【０００２】
本発明の骨内インプラントは、外傷のための（腰〜、ひざ〜、指）関節人口器官と骨ネジのような医療目的のために、頻繁に使用される。また、これらの骨内インプラントは、歯科、および口腔、および顎顔面の外科手術における歯科インプラントとして使用される。
【０００３】
過去２０年間の歯科、および口腔、および顎顔面の外科手術における、重要な進歩は、歯科インプラントの活用である。これらの人工歯根は、失った天然歯の置き換えと無歯症への歯の生成に使用される。取り外し可能な残根上の義歯（overdentures)または、固定歯冠または、歯の矯正治具は、インプラント上に取り付けられ得る。
【０００４】
歯科インプラントは、インプラントベッドが１以上のドリルにより、処置された後に、骨の中に取り付けられ得る。ある一体化期間の後、例えば、歯を噛むことによって、それらは取り付けられることが可能である。人工器官部分は、患者に、歯を噛む能力、スピ〜チ、外観、自尊心のような、本質的な機能を提供する。
【発明の開示】
【発明が解決しようとする課題】
【０００５】
ほとんどの歯科インプラントは、大部分にネジ山デザインを有する、回転対称である。
【０００６】
通常、ネジ式歯科インプラントは、インプラントの重要な部分が、所望のインプラント配置深部に衝突するので、非対称のインプラントデザイン（例えば、角度がついた、傾斜の、スカラップの）を排除する。ネジ山は、優れた保持力のインプラントを提供するけれども、他方では、取り付けられるインプラントの深さ精度を制限する。
【０００７】
ネジ山のピッチは、インプラントの深さ位置を規定する。大きいピッチは、素早い挿入処置を可能にするが、周囲の骨および隣の構造に対する深さ位置は、より正確性に欠ける。一方、小さいピッチを有するネジ山は、正確なインプラント位置を可能にするが、より少ない初期のインプラント安定性と、時間を必要とする外科手術を提供する。
【０００８】
回転非対称インプラントは、インプラントベッドが適切なドリルによって処置された後で、インプラントは、その所望の位置で軽くたたかれ、または押されるので、この点において、円筒デザインから恩恵を受ける。これは、非常に速い外科手術である。しかしながら、周囲の骨に対するインプラントの保持力を制限し、特に、骨が小さい密度（脆弱な、またはルーズ(loose)な）構造のときは保持力を制限する。
【０００９】
すなわち、円筒状のインプラントは、ネジンプラントよりも、より優れた位置決め能力を有しているが、初期の安定性はより低い。この観察結果は、歯科インプラントに適用できるだけでなく、医療の適切な療法のために適用できる。
【課題を解決するための手段】
【００１０】
上述に関して、本発明は、初期の主要なインプラントの安定性を失うことなく提供されて、骨組織の所望の深さでの正確なインプラント位置を可能にする、医療の骨内インプラントおよび特に歯科の骨内インプラントを提供することを目的とする。また、提案されているインプラントデザインは、強力な回転防止特性を有する骨内インプラントを提供するだけでなくインプラントへの骨組織の改善された縫合により、短い外科手術を可能にする。
【００１１】
本発明によれば、骨内インプラントは、骨内部分が、一以上の長手方向に伸びている溝を備えていて、ネジ山を、複数の中断されたネジ山部分に遮断することで特徴付けられていて、上記複数の中断されたネジ山部分は、上記骨組織の長手方向へのインプラントの配置を可能にするが、上記骨の外へ、反対側の長手方向へのインプラントの除去を防ぐ保持要素として供給される。
【００１２】
一以上の溝状のネジ山の遮断部の存在が、その適切な位置にインプラントをネジで締める必要性なしに、骨の中へのインプラントの素早いそして正確な配置を可能にする。インプラントは、外科手術時間の著しい減少を伴いながら、その適切な位置で単に、軽くたたかれ、押され得る。
【００１３】
骨内インプラント面上の残存するネジ部分は、周囲の骨組織に垂直のおよび回転の保持力を作用する保持要素（サメの歯のように）として機能する。これは、本発明に従った、骨内インプラントの適切な初期のインプラントの安定性を確実にする。
【００１４】
しかしながら、残存するネジ部品（保持要素）は、インプラントが、また、ネジ締め（回転）動作により（再び）位置決められ得るように、依然として、（中断されているけれども）ネジ山を形成している。中断されたネジ山は、ぴったり挿入されたインプラントの取り外しも可能にするが、内部手術的には、適切に位置づけられないとみなされる。
【００１５】
本インプラント発明は、早い外科手術、および骨内インプラントの正確な配置と位置決めの有利性を兼ね備えている。また、それは、垂直のおよび回転の力に対する、優れた初期の安定性と高い保持力のインプラントを提供する。
【００１６】
発明されたインプラントの実施例では、溝は、インプラントの骨内部分の全長に及び、溝の深さは、ネジ山の高さより浅く、またはネジ山の高さと同じに、またはネジ山の高さより深くなり得る。
【００１７】
より詳細には、溝の幅は、上記骨内部分の先端側の方向で変化して、より詳細には、広くなる。また、溝の深さは、上記骨内部分の先端側の方向で変化できて、より詳細には、深くなり、また、ネジ山の高さは、上記骨内部分の先端側の方向で変化できて、より詳細には、小さくなる。
【００１８】
本発明に従った、医学のまたは歯科の（または獣医学の）特にそして良好なデザインでは、骨内部分は、複数の溝を具備している。
【００１９】
本発明に従った、インプラントのより優れた安定性は、インプラントの骨内部分の表面に等間隔で存在する長手方向の溝によって獲得される。
【００２０】
本発明によれば、骨内部分は円筒状の断面を有しているので、有利な実施態様により、骨へのインプラントの挿入が促進されて、加速する。しかしながら、他の実施態様では、骨内部分は、ほぼ円筒状の断面、例えば、円錐状の、楕円の、長円状の断面を有し得る。
【００２１】
より詳細には、骨内部分は、多角形断面、例えば、五角形の、または六角形の、または七角形の、または八角形の断面を示し得る。
【００２２】
本発明によれば、骨内部分先端方向でより小さくすると、更に改良されたインプラントの挿入が得られる。
【００２３】
特別なインプラントデザインでは、インプラントの骨内部分は、円錐形状を有する、または、インプラントの先端に向かって、より狭くなる。
【００２４】
もう一つの実施態様では、支持部分は、インプラントの方向に対して、前記骨内部分に、所定の角度で、位置づけられる。
【００２５】
もう一つの特別なデザインでは、骨内インプラントは、形状が、歯槽頂の形状に適合された歯科のインプラントとして、意図される。現在、利用できるたいていの歯科のインプラントとは違って、支持（または結合）部分の円周端部であるインプラントの肩部は、回転対称ではない。それは、顎骨の骨の輪郭に適合するように、例えば、スカラップの(scalloped)、傾いた、湾曲した、または角度がついている。このように、インプラント形状は、美観の妥当性（主に、上顎の前歯）の範囲において、適切な美観を可能にする。
【００２６】
天然の歯の形状は、頬（唇、または頬(cheek)、または外）側（口蓋のまたは口腔側）の歯冠が、隣接歯間側より先端へ（インプラントの端部に向って）更に伸びているようである。大体の歯科のインプラントでは、インプラントの回転対称デザインは、歯冠の縁をこれらの輪郭に従うことを可能にしない。その結果、歯冠は頬側の組織の中へは、十分に深くなくて、隣接歯間側の組織の中へは深すぎる、ことになる。第一の態様は、美観に関する外観に対してはマイナスである。（それはより少ない美しさであり、時々、インプラント金属を見せる。）第二の態様は、衛生的な実現性を悪くし得て、インプラント周辺の骨の損失につながる。
【００２７】
上述した、従来型の歯科のインプラントの不都合は、インプラントの一つの側（顎の頬側に取り付けられることを意図されている）に傾斜を作る（凹状の穴または平らにする）ことによって対処され得る。この場合には、隣接歯間側にインプラント肩部（歯冠の縁）をあまりに深く取り付けて、頬側にインプラントの肩部（歯冠の縁）を十分深く取り付けられないという、上述した問題が処理され得る。
【００２８】
本発明の歯科のインプラントは、通常まっすぐなデザインである。天然の歯の形状は、歯の歯根と歯冠の間に、小さな角度を示し、特別な実施態様では、支持部分は、インプラントの方向に対して、前記骨内部分に、所定の角度で位置づけられている。本インプラント発明は、インプラントを傾斜したデザインにすることを可能にし、それゆえ、顎と歯の解剖学的要求に対応する。
【発明を実施するための最良の形態】
【００２９】
図の以下の記述は、歯科のインプラントとして使用されることを意図される骨内インプラントデザインのさまざまな実施態様を説明する。しかしながら、本発明は、外科治療と同様に、適切な療法と医学的応用によれば、歯科のインプラントだけに制限されないだけでなく、他の骨インプラントまたは骨ネジまたは骨釘にも適用できる。
【００３０】
図１ａ〜１ｃは、細長い形状を有し、チタンまたはチタン合金という組織適合性材料（tissue friendly material)から作られた、現状技術に従った従来型の歯科のインプラント１を開示する。インプラント１は、顎骨４のインプラントベットプレパレーション（implant bed preparation)３に取り付けられるように意図された骨内部分２とも呼ばれる歯根部分を有している。
【００３１】
骨内インプラント１はまた、インプラントと共に挿入するために通常使用される、支持結合または取り付け部分５を有している。支持部分５は、最終段階で、人工器官装置６（上にある構造、例えば、歯冠、架工義歯または残根上の義歯を支持して、取り付けて、または接続するためにも使用される。
【００３２】
インプラント歯科学の必須な要素は、配置する間の骨４の中の骨内インプラント１の正確な深さである。インプラント配置の正確な深さは、大きく美観に関連するが、優れた口腔の衛生状態とインプラント周辺の健康のためにも重要である。生物学上の許容される範囲を超えると（インプラントがあまりに深く配置されると）、歯の損失の原因になる。一方、インプラントが十分に深く取り付けられない場合には、美観上、期待はずれの結果になる。（歯冠の縁またはインプラントの肩部が見える）
【００３３】
インプラントの正確な配置は、図１ａと１ｂで示されるように円筒状のインプラントを使用することにより、達成され得る。そのような円筒状のインプラント１は、骨４の中にインプラントの迅速で正確な配置を可能にするが、円筒状に形成された骨内部分２は、ネジンプラントによる、よりも、インプラントベッドプレパレーション３により小さな初期の安定性を提供する。
【００３４】
骨内部分２の円周面２ａとインプラントベッドプレパレーション３間の骨の接触を増加するため、そしてそれゆえ、顎骨４のインプラントの安定性を改善するために、よく知られた骨内インプラント1ｂは、骨組織の成長を増すために、側面の打ち抜き穴７を備えた中空円筒デザインを伴う、骨内部分２を有している。
【００３５】
もう一つのよく知られたインプラントデザイン１ｃは、その円周表面２ａに、ネジ山８を備えた骨内部分２を示す。ネジ山８は、インプラント配置において、高い初期の安定性をインプラント１に提供する。それはまた、増加したインプラント骨接触面を保証し、インプラント処置後の、より早い段階でインプラントが取り付けられることを可能にする（例えば、歯で噛むことによって）。
【００３６】
インプラント１の骨内部分２の円周面２ａに、ネジ山８が存在することにより生じる不都合は、深さ位置の限定的な正確さが、インプラントが回転対称でない（スカラップ状である、または傾いている、または角度がついている）場合には、一層制限されることである。
【００３７】
大きなピッチのネジ山８は、迅速なインプラントの配置を可能にするが、周囲の骨組織に対する、インプラントの深さ位置に関しては、少し正確ではない。小さなピッチのネジ山８は、よりよい正確な深さ位置を可能にする、しかしながら、そのようなデザインは、順に、より多くの時間を要する外科手術、そして極端な場合には、より小さなネジ山のために、インプラントのより少ない初期の安定性を必要とする。
【００３８】
本発明の目的は、上述した欠点を避けて、高度の（初期の）インプラント安定性を提供する、即座のそして正確なインプラント配置を可能にするインプラントを設計することである。
【００３９】
本発明に従った、図２で示されるような骨内インプラント１０は、組織適合性材料の細長い骨内部分１２と、インプラント挿入を目的として、最終段階での、人工器官装置６（上にある構造、例えば、歯冠、架工義歯または残根上の義歯）のための支持または取り付け領域の機能を果たす、支持または接続部分１５から成る。
【００４０】
インプラント１０の骨内部分１２は、その表面１２ａ上に、あるピッチのネジ山１８を備えている。
【００４１】
本発明によれば、図２に示される骨内部分１２は、その周辺面上に、ネジ山１８を有していて、ネジ山１８は、一以上の長手方向の伸長溝１９ａ〜１９ｃによって、遮断されている。一以上の溝１９ａ〜１９ｃの存在により、ネジ山１８は、溝１９ａ〜１９ｃの数による複数の区分１８ａ〜１８ｄから構成されるようになる。
【００４２】
より詳細には、これらの溝１９ａ〜１９ｃなどは、インプラント１０の骨内部分１２の表面１２ａに等距離で存在する。更にインプラントの骨内部分１２は、好ましくは、円筒状断面を有している。しかしながら、楕円の、長円形の、または円錐状の断面のようにほとんど円筒状の断面も可能である。
【００４３】
より詳細には、本発明に従った骨内インプラントは、多角形の断面、例えば、正方形、または五角形、または六角形、または七角形、または八角形の断面を有し得る。
【００４４】
また、上記の実施態様の一以上の組み合わせも可能である。
【００４５】
中断されたネジ山１８の構成の結果として、本発明に従った骨内インプラント１０は、ネジンプラントだけではなくて、円筒インプラントとしても使用され得る。ネジ動作が必要ないので、円筒状のグランド形状（ground form)は、迅速な外科手術を可能にする。望ましい位置でのインプラント１０の配置の後で、骨内部分１２の円周面１２ａ上に存在するネジ部分１８ａ〜１８ｃなどは、長手方向に、並んで位置づけられている保持要素の機能を果たす。
【００４６】
これらの保持要素は、埋め込まれた骨内部分１２を、周囲の骨組織１３に引っ掛けるサメの歯のように機能する。これらの保持要素により、インプラント１０は、優れた初期の安定性および、垂直力と回転力に対する高い保持力を有している。
【００４７】
保持要素１８ａ〜１８ｃなどが、インプラントの軸に平行に配置された、隣り合った列に位置づけられているという事実によって、インプラントプレパレーションベッド１３へのインプラント挿入の間に、骨内インプラント１０の望まない旋回または回転は生じない。それどころか、単にそれを、その望ましい場所へ、押すことまたは軽くたたくことによる、インプラント１０の挿入は、適切な方向付け、および位置決めを保証する。
【００４８】
必要ならば、対称または非対称インプラント１０は、ネジを締める動作で、インプラント１０を旋回することによって、高さ（または深さ）において、適切に（再び）位置決められ得る。長手方向の溝１９ａ〜１９ｃなどによって、遮断されるが、中断されたネジ山部分１８ａ〜１８ｃなどは、あるピッチを有する完全なネジとして、依然として機能し、それゆえ、初期の安定性を維持するために、望ましい挿入深さを変更することを可能にする。
【００４９】
図３ａと３ｂは、図２で示された実施態様の詳細図を示す。溝１９ａ〜１９ｃなどは、溝１９ａ〜１９ｃなどが、ネジ山１８ａ〜１８ｃなどの伸長エッジ２１ａ〜２１ｃなどを、ほぼ平らにして、骨内部分１２の円周面１２ａに沿って、長手方向に伸びている。
【００５０】
ネジ山１８の各伸長された端部２１ａ〜２１ｃなどは、骨内部分１２を取り囲む骨組織１４に対する保持要素として機能する。誤って挿入されてしまったインプラント１０は、ある初期抵抗を上回った後では、適切な既知の道具を使用して、単に、インプラントのネジを緩めることにより、中断されたネジ山１８ａ〜１８ｃなどを使用して、取り外され得る。
【００５１】
図３ｂで示されるような、もう一つの実施態様では、各長手方向に延びる溝１９ａ〜１９ｃなどは、骨内部分１２の円周面１２ａに、ある深さで適用され、ネジ山１８は、局所的に、完全に除去されている。
【００５２】
このデザインの中断されたネジ山１８の残部は、保持要素として、周囲の骨に接触する、ネジ山部分の複数の列１８ａ〜１８ｄを形成する。この機能は、（顎）骨のインプラントの、優れた安定性を保証するが、誤って取り付けられたインプラントの調整または取り外しも可能にする。保持要素１８ａ〜１８ｄなどは、連続した挿入を可能にするが、単に引くことによるインプラントの取り外しを防ぐ、骨内部分１２の先端方向に、傾斜する端部を呈する。取り外しは、骨１４のインプラントプレパレーションベッド１３の外へインプラントを緩めることによってのみ可能になる。
【００５３】
本発明に従った骨内インプラントの他のデザインは、図４ａ〜４ｄ、５ａ〜５ｃおよび６ａ〜６ｂおよび７で示され、図の異なった実施態様の対応する要素は、同じ参照番号で、表されている。
【００５４】
骨内部分１２は、インプラントプレパレーションベッド１３に最初に入る先端側１２ｂと、頸部と、または人工器官６（上にある構造、例えば、歯冠、架工義歯または残根上の義歯）のため、インプラントの挿入を目的として、支持または取り付け領域の機能を果たす、結合部分１５と、を示す。表面１２ａはネジ山１８を有し、本発明に従った表面１２ａは、複数の長手方向の遮断部１９ａ〜１９ｃなどを有する。
【００５５】
上述したように、中断されたネジ山部分１８ａ〜１８ｃなどは、骨内部分１２の円周面１２ａに沿って、長手方向に伸びている列に取り付けられる保持要素のように作用する。それらの構成に起因して、これらの保持要素は、ネジ山の外形が、先端側１２ｂに向かう緩い傾斜、および急なまたは、頸部１２ｃ上では直角でさえある傾斜を示すので、周囲の骨組織１４に引っ掛けるためのサメの歯のように機能する。図３ａと３ｂも参照されたい。
【００５６】
図４ａでは、先端１２ｂの方向で視認される、円錐状のまたは先細りになった形状を有するインプラントが示されて、一方、図４ｂは、円筒状形状の断面を示す。
【００５７】
図４ｃは、ネジ山部分（保持要素）１８ａ〜１８ｃなどの中断された列間に一定幅Ｂを有している、骨内部分１２の全長に及ぶ、複数の溝１９ａ〜１９ｃなどを有する実施態様を示し、一方、図４ｄで示された実施態様では、溝１９ａ〜１９ｃなどの幅Ｂ'は、先端に向かって増加する。図４ｄでは、顎１２ｃに対するよりも、顎部１２ｂで、より小さな保持要素を示す。
【００５８】
図５ａ〜５ｃは、本発明に従った骨内インプラントの更に異なった実施態様を示し、インプラントの支持または接続部分（頸部）１５は、骨内部分１２のインプラントの軸ｘに対して、傾斜角αで位置づけられている。支持部分１５の軸と骨内部分１２のインプラントの軸ｘ間の角度αは、例えば、１０°〜２０°の範囲内および、約１５°となり得る。
【００５９】
図５ｂと５ｃで示される実施態様では、インプラント１０の頸（支持）部分１５の円周端部または肩部２２上に少なくとも一つの斜面２３を開示する。図５ｂでは、斜面２３は、インプラントの肩部２２から先端側１２ｂに向かって、緩やかな、または滑らかな遷移を示す、一方、図５ｃでは、斜面２３は、明瞭で、鋭い遷移角２４を示す。
【００６０】
図５ｂでは、斜面２３の遷移２４が凸面形状を示すので、斜面２３の凹面の遷移２４も適用できることは、明白であろう。
【００６１】
もっと正確に言えば、本発明に従ったインプラントは、優れた美観が達成され得るように、インプラントの傾斜が頬側に位置づけられるように、取り付けられる。
【００６２】
図６ａと６ｂは、すでに上述した骨内インプラントの実施態様の組み合わせを示し、図４ａに従った円錐状と４ｂに従った円筒状の、２種類の異なった組み合わせを示す。しかしながら、例えば、円筒状のデザインに組み合わされた正方形の、五角形の、六角形の、七角形の、または八角形のデザインの、他の組み合わせも可能である。
【００６３】
図７は、手足の指の関節外科で使用される、発明に従った、骨内インプラントのもう一つの実施態様を示す。インプラント３０は、２つの骨内部分３１ａと３１ｂおよび関節３２から成っている。骨内部分３１ａと３１ｂは、手足の指または他の関節で、取り付けられる。各々の骨内部分３１ａと３１ｂは、それぞれ、ネジ山１８と１８'を備えている。本発明によれば、ネジ山１８と１８'は、複数の溝１９と１９'により、遮断される。上述したように、これらの中断されたネジ山部分１８と１８'は、周囲の骨に引っ掛ける、サメの歯のように作用する。
【００６４】
骨内部分３１ａと３１ｂの両方は、単に圧力を加えることによって、または軽くたたくことによって、手足の指の骨に入れられ得る。骨内部分３１ａと３１ｂの両方は、自然な手足の関節機能を回復するために、ボール関節またはヒンジ関節３２、または他の種類の関節、または連結部と接続される。
【００６５】
図８ａ〜８ｅは、ネジ山１８を遮断する溝１９を備えた、本発明に従った、提案されているインプラント１０の骨内部分１２の断面の異なった種類および変化のいくつかの例を示す。
【００６６】
図８ａでは、溝１９は、鋭く、とがったネジ山１８''を残した円形を示すが、一方、図８ｂは、平らにされたネジ山面１８を示す。図８ｃは、狭い溝１９および、より広い溝１９’の組み合わせを示す。広い溝１９’は、支持部分１５上の斜面２３の位置を明らかにするために使用され得る。この構造は、インプラントの配置をする間の方向付けを、より正確にそして容易にする。
【００６７】
図８ｄは、鋭いネジ山端部１８を伴う、平らな溝１９を示し、図８ｅは、特定のフライス作業のための、台形形状のネジ山外形１８を示す。
【００６８】
図９で示される実施態様は、例えば、六角形の多角形のグランド形状を伴う、骨内部分１２を示す。しかしながら、八角形または、他の多角形形状も、グランド形状として、使用され得る。
【００６９】
フライス作業または研削作業によって、溝４０が骨内部分１２の円周面に加工され、上記溝は、円周面に沿って、一以上の（らせん状の）巻き線４０ａ〜４０ｆ状に伸長している。その結果、このフライス作業または研削作業によって、ネジ山１８が、平らにされた部分１９ａ、１９ｂなどを有し、保持要素１８ａと１８ｂなどを延在するように形成される。
【００７０】
好ましくは、平らにされた部分１９ａと１９ｂなどの面は、溝巻き線４０ａ〜４０ｆの表面に一致する。
【００７１】
本発明は、もう一つの種類の骨内インプラントすなわち、実際のところ、中断されたネジ山も示す、"ネジくぎ"または骨びょう（bone tack）にも適用できる。それは、ネジとして使用され得るだけでなく、シリンダーまたは、くぎとして使用され得る。（図１０ａと図１０ｂ）
【００７２】
図１０ａと図１０ｂの実施態様は、くぎとして形成され、または構成される骨内インプラントを開示する。
【００７３】
本発明は、インプラントの他の構造、構成または形状と組み合わせられても、組み合わされなくてもよい。
【００７４】
本発明は、インプラントの全長または、その一部分に関係する。
【図面の簡単な説明】
【００７５】
【図１ａ】図１ａは、現状技術に従った骨内インプラントの実施態様である。
【図１ｂ】図１ｂは、現状技術に従った別の骨内インプラントの実施態様である。
【図１ｃ】図１ｃは、現状技術に従った別の骨内インプラントの実施態様である。
【図２】図２は、本発明に従った骨内インプラントの第一実施態様である。
【図３ａ】図３ａは、本発明に従った骨内インプラントの更なる実施態様である。
【図３ｂ】図３ｂは、本発明に従った骨内インプラントの更なる実施態様である。
【図４ａ】図４ａは、本発明に従った骨内インプラントの更なる実施態様である。
【図４ｂ】図４ｂは、本発明に従った骨内インプラントの更なる実施態様である。
【図４ｃ】図４ｃは、本発明に従った骨内インプラントの更なる実施態様である。
【図４ｄ】図４ｄは、本発明に従った骨内インプラントの更なる実施態様である。
【図５ａ】図５ａは、本発明に従った骨内インプラントの更なる実施態様である。
【図５ｂ】図５ｂは、本発明に従った骨内インプラントの更なる実施態様である。
【図５ｃ】図５ｃは、本発明に従った骨内インプラントの更なる実施態様である。
【図６ａ】図６ａは、本発明に従った骨内インプラントの更なる実施態様である。
【図６ｂ】図６ｂは、本発明に従った骨内インプラントの更なる実施態様である。
【図７】図７は、本発明に従った、骨内インプラントの更なる実施態様である。
【図８ａ】図８ａは、本発明に従った骨内インプラントの更なる実施態様である。
【図８ｂ】図８ｂは、本発明に従った骨内インプラントの更なる実施態様である。
【図８ｃ】図８ｃは、本発明に従った骨内インプラントの更なる実施態様である。
【図８ｄ】図８ｄは、本発明に従った骨内インプラントの更なる実施態様である。
【図８ｅ】図８ｅは、本発明に従った骨内インプラントの更なる実施態様である。
【図９】図９は、本発明に従った骨内インプラントの更なる実施態様である。
【図１０ａ】図１０ａは、本発明に従った骨内インプラントの更なる実施態様である。
【図１０ｂ】図１０ｂは、本発明に従った骨内インプラントの更なる実施態様である。
2009513168.tif 000003
2009513168.tif 000004
2009513168.tif 000005
【図２】
2009513168.tif 000006
2009513168.tif 000007
2009513168.tif 000008
2009513168.tif 000009
2009513168.tif 000010
【図７】
2009513168.tif 000011
2009513168.tif 000012
【図９】
2009513168.tif 000013
2009513168.tif 000014
2009513168.tif 000015
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
先端側と頸部側を有し、身体適合性材料からなる、骨組織への配置を目的とする少なくとも一つの骨内部分であって、その円周面上に先端部の方向に続いていて先端部で終わるネジ山を備えている、少なくとも一つの骨内部分と、
人工器官要素の支持を目的とする、前記少なくとも一つの骨内部分の前記頸部側に存在する支持部分と、を具備する人間または動物の骨に配置するための骨内インプラントであって、
前記骨内部分は、長手方向に伸びていて、前記骨内部分の全長に及び、前記ネジ山を、複数の中断されたネジ山部分に遮断する、複数の溝を備えていて、前記複数の中断されたネジ山部分は、前記骨組織中に向かう、長手方向への前記インプラントの配置を可能にするが、前記骨の外に向かう、反対の長手方向への前記インプラントの取り外しを防ぐ、保持要素として機能することを特徴とする、骨内インプラント。
【請求項２】
前記溝の深さは、前記ネジ山の高さより低いか、同じか、または高いことを特徴とする、請求項１に記載の骨内インプラント。
【請求項３】
前記溝の幅は、前記骨内部分の前記先端側の方向に変化し、より詳細には、広くなることを特徴とする、請求項１または２に記載の骨内インプラント。
【請求項４】
前記溝の深さは、前記骨内部分の前記先端側の方向で変化し、より詳細には、より深くなることを特徴とする、請求項１〜３のいずれか一項に記載の骨内インプラント。
【請求項５】
前記ネジ山の高さは、前記骨内部分の前記先端側の方向で変化し、より詳細には、より小さくなることを特徴とする、請求項１〜４のいずれか一項に記載の骨内インプラント。
【請求項６】
前記溝は、前記円周面上に等距離で存在することを特徴とする、請求項１〜５のいずれか一項に記載の骨内インプラント。
【請求項７】
前記骨内部分は、円筒状断面を有することを特徴とする、請求項１〜６のいずれか一項に記載の骨内インプラント。
【請求項８】
前記骨内部分は、例えば、円錐状の、楕円状の、長円状の断面といった、ほぼ円筒状の断面を有することを特徴とする、請求項１〜７のいずれか一項に記載の骨内インプラント。
【請求項９】
前記骨内部分は、例えば、六角形のまたは、八角形の断面といった、多角形の断面を有することを特徴とする、請求項１〜８のいずれか一項に記載の骨内インプラント。
【請求項１０】
前記骨内部分は、前記先端方向に、より小さくなることを特徴とする、請求項１〜９のいずれか一項に記載の骨内インプラント。
【請求項１１】
前記支持部分は、インプラントの方向に対して、前記骨内部分に、所定の角度で位置づけられることを特徴とする、請求項１〜１０のいずれか一項に記載の骨内インプラント。
【請求項１２】
前記インプラントは歯科インプラントであって、前記支持部分は、その円周端部上に少なくとも一つの斜面（平らの凹面）を備えることを特徴とする、請求項１〜１１のいずれか一項に記載の骨内インプラント。
【国際調査報告】
2009513168.tif 000016
2009513168.tif 000017
2009513168.tif 000018